(57)【要約】【課題】  簡素な構造により、引き戸の閉鎖時の音、光、空気の遮断性を確保するとともに、引き戸の開閉操作性を向上すること。【解決手段】  引き戸２１を戸枠１０内にて相並ぶ他の引き戸２２又は小壁に対して開閉移動可能に設け、該引き戸２１にその端面と戸枠の横枠１１、１２との隙間を塞ぐシール装置３０を内蔵し、該引き戸２１の閉鎖時に戸枠の縦枠１３、１４に衝接して弾発的に押込まれるプッシャー３２を備えるとともに、戸枠の横枠１１、１２との隙間を塞ぐシール部材３３を備えてなる引き戸装置２０であって、前記引き戸２１の閉鎖時に、該引き戸２１と前記他の引き戸２２又は小壁のそれぞれに、該引き戸２１の開閉方向で、それらが互いに一部重なる重なり部２１Ａ、２２Ａを形成し、それらの重なり部のそれぞれに該引き戸２１の開きを制止するように係合し、かつ封止し合う係合封止部６０Ａ、６０Ｂを設けてなるもの。【選択図】  図１
2011252356.tif 000002
【特許請求の範囲】
【請求項１】
引き戸を戸枠内にて相並ぶ他の引き戸又は小壁に対して開閉移動可能に設け、該引き戸に該引き戸の端面と戸枠の横枠との隙間を塞ぐシール装置を内蔵し、
シール装置は、該引き戸の側面から突き出る方向に常時付勢され、該引き戸の閉鎖時に戸枠の縦枠に衝接して弾発的に押込まれるプッシャーを備えるとともに、該プッシャーが押込まれることに連動して該引き戸の端面から突出し、戸枠の横枠との隙間を塞ぐシール部材を備えてなる引き戸装置であって、
前記引き戸の閉鎖時に、該引き戸と前記他の引き戸又は小壁のそれぞれに、それらが互いに一部重なる重なり部を形成し、それらの重なり部のそれぞれに該引き戸の開きを制止するように係合し、かつ封止し合う係合封止部を設けてなる引き戸装置。
【請求項２】
前記係合封止部が、前記引き戸と前記他の引き戸又は小壁のそれぞれに形成された重なり部のそれぞれに固定される中空棒状弾性体からなる請求項１に記載の引き戸装置。
【発明の詳細な説明】
【技術分野】
【０００１】
本発明は引き戸装置に関する。
【背景技術】
【０００２】
部屋と部屋の間仕切りとして用いられる引き戸は、例えば寝室に隣接するサニタリーの音、光、空気を遮断し、それらの部屋に互いに邪魔にならない生活空間を提供する。
【０００３】
特許文献１に記載の引き戸装置は、引き戸の下端面に隙間塞ぎ部材を設け、引き戸の閉鎖時には引き戸に内蔵してある板ばねにより隙間塞ぎ部材を床面側に押し下げ、引き戸の下端面と床面との隙間を塞ぎ、音、光、空気を遮断する。引き戸の開閉移動時には床面に取付けてある台形状ガイドプレートにより隙間塞ぎ部材を床面から持ち上げ、隙間塞ぎ部材を床面に擦りつけることなくスムースに移動できる。
【０００４】
特許文献２に記載の引き戸装置は、引き戸の下端面にベルトホイールに巻き回されたベルトを設けている。引き戸は、床面に転接するベルトを回転させながら開閉移動し、引き戸の下端面と床面との隙間をベルトにより封鎖し、音、光、空気を遮断する。
【先行技術文献】
【特許文献】
【０００５】
【特許文献１】特開平7-317457
【特許文献２】特開平10-102883
【発明の概要】
【発明が解決しようとする課題】
【０００６】
特許文献１に記載の引き戸装置では、引き戸の下端面に設けた隙間塞ぎ部材が、引き戸の閉鎖時にだけ押し下げられて床面との隙間を塞ぎ、引き戸の開閉移動時には持ち上げられて該引き戸をスムースに移動可能にする。しかしながら、隙間塞ぎ部材を持ち上げるための台形状ガイドプレートを床面の適宜位置に突設する必要があり、複雑になる。
【０００７】
特許文献２に記載の引き戸装置では、引き戸の下端面と床面との隙間を封鎖するベルトが該引き戸の開閉移動中に床面に転接して回転するものであり、引き戸の軽快な開閉操作性を損なう。
【０００８】
本発明の課題は、簡素な構造により、引き戸の閉鎖時の音、光、空気の遮断性を確保するとともに、引き戸の開閉操作性を向上することにある。
【課題を解決するための手段】
【０００９】
請求項１に係る発明は、引き戸を戸枠内にて相並ぶ他の引き戸又は小壁に対して開閉移動可能に設け、該引き戸に該引き戸の端面と戸枠の横枠との隙間を塞ぐシール装置を内蔵し、シール装置は、該引き戸の側面から突き出る方向に常時付勢され、該引き戸の閉鎖時に戸枠の縦枠に衝接して弾発的に押込まれるプッシャーを備えるとともに、該プッシャーが押込まれることに連動して該引き戸の端面から突出し、戸枠の横枠との隙間を塞ぐシール部材を備えてなる引き戸装置であって、前記引き戸の閉鎖時に、該引き戸と前記他の引き戸又は小壁のそれぞれに、それらが互いに一部重なる重なり部を形成し、それらの重なり部のそれぞれに該引き戸の開きを制止するように係合し、かつ封止し合う係合封止部を設けてなるようにしたものである。
【００１０】
請求項２に係る発明は、請求項１に係る発明において更に、前記係合封止部が、前記引き戸と前記他の引き戸又は小壁のそれぞれに形成された重なり部のそれぞれに固定される中空棒状弾性体からなるようにしたものである。
【発明の効果】
【００１１】
（請求項１）
(a)引き戸の閉鎖時に、引き戸に内蔵されているシール装置のプッシャーが戸枠の縦枠に衝接して押込まれると、これに連動して引き戸の端面から突出するシール部材が戸枠の横枠との隙間を塞ぐ。
【００１２】
同時に、引き戸の他の引き戸（又は小壁）との重なり部に設けてある係合封止部が、他の引き戸の側に設けてある係合封止部に、該引き戸の開きを制止するように係合し、かつ封止し合う。これにより、引き戸は、それらの係合封止部の係合により、シール装置のプッシャーが押込み位置から突き出ようとする付勢力に基づく開き方向力に抗してその閉鎖位置に制止され、引き戸の端面から突出したシール部材が戸枠の横枠との隙間を塞ぎ続ける。
【００１３】
この引き戸の閉鎖時に、引き戸が上述の如くに閉鎖位置に制止されることにより、引き戸のプッシャーが設けられている側面は、戸枠の縦枠に当接し続け、該縦枠との隙間を封止し続ける。
【００１４】
また、引き戸と他の引き戸（又は小壁）との重なり部もそれらの係合封止部の係合により封止される。
【００１５】
以上により、引き戸の閉鎖時に、引き戸の端面、側面が戸枠の横枠、縦枠との隙間を封止し続け、引き戸と他の引き戸（又は小壁）との重なり部も封止され、音、光、空気の遮断性を確保する。
【００１６】
(b)引き戸に内蔵されているシール装置のシール部材は、引き戸が閉鎖位置から開かれる開閉移動時に、プッシャーが押込み位置から突き出るのに連動して引き戸の端面内に納まる。従って、シール装置のシール部材が戸枠の横枠を擦ることなく、引き戸の開閉操作性を損なわない。
【００１７】
(c)引き戸に内蔵されているシール装置のシール部材を出入させる手段は、引き戸に設けたプッシャーを戸枠の縦枠に接離させることにて構成されるものであり、戸枠や床面の側に格別な操作部材を必要としない。構造は簡素である。
【００１８】
（請求項２）
(d)引き戸と、他の引き戸（又は小壁）との重なり部のそれぞれに設ける係合封止部を、中空棒状弾性体からなるものにした。従って、引き戸の重なり部に設けた１本又は複数本の中空棒状弾性体と、他の引き戸（又は小壁）の重なり部に設けた１本又は複数本の中空棒状弾性体を簡素な構造により、該引き戸の開きを制止するように係合し、かつ封止し合うものとすることができる。
【図面の簡単な説明】
【００１９】
【図１】図１は引き戸装置を示す横断面図である。
【図２】図２は図１のII−II線に沿う縦断面図である。
【図３】図３は上シール装置を示す断面図である。
【図４】図４は下シール装置を示す断面図である。
【発明を実施するための形態】
【００２０】
図１は、相隣る部屋と部屋の間に設けた間仕切り１を示す。間仕切り１は、戸枠１０に組込まれた引き戸装置２０からなる。引き戸装置２０は、戸枠１０内にて相並ぶ２枚の引き戸２１、２２からなり、引き戸２１と引き戸２２は互いに開閉移動可能に設けられる。
【００２１】
戸枠１０は、図１、図２に示す如く、上下の横枠１１、１２と、左右の縦枠１３、１４の枠組により構成される。上横枠１１の下面の長手方向には、２枚の引き戸２１、２２のための２条の溝状ガイドレール１５、１６が埋込延在されている。
【００２２】
引き戸２１（引き戸２２も同じ）は、図２に示す如く、上端面の長手方向の複数位置、本実施例では左右両側の２位置に吊り車２４を設けられている。引き戸２１は吊り車２４を上横枠１１のガイドレール１５に係入され、ガイドレール１５にガイドされて滑走可能にされる。
【００２３】
引き戸２１（引き戸２２も同じ）は、上端面に上シール装置３０を設ける。上シール装置３０は引き戸２１に内蔵され、該引き戸２１の上端面と戸枠１０の上横枠１１との隙間を塞ぐ。
【００２４】
上シール装置３０は、図３に示す如く、引き戸２１の上端面に埋込み固定されるブロック３１に、プッシャー３２とシール部材３３とを備えて構成される。
【００２５】
プッシャー３２は、ブロック３１の内部に設けられている付勢手段（不図示）により引き戸２１の一方の側面（左側面）から突き出る方向に常時付勢され、引き戸２１の開き時には引き戸２１の側面から突き出る待機位置に位置付けられる。プッシャー３２は、引き戸２１の閉鎖時に、引き戸２１の一方の側面が戸枠１０の縦枠１３に当接するとき、該縦枠１３に衝接して該引き戸２１の側面内に押込まれる。
【００２６】
シール部材３３は、プッシャー３２が押込まれることに連動して引き戸２１の上端面から突出し、戸枠１０の上横枠１１の下面に当接し、該上横枠１１との隙間を塞ぐ。シール部材３３は、引き戸２１の上端面における長手方向に沿う概ね全長に渡り、横断面三角形状のゴム等からなる長尺シール材３３Ａを延在して構成される。
【００２７】
尚、引き戸２１（引き戸２２も同じ）にあっては、全板厚を薄くしながら、上端面に吊り車２４を取付けるとともに、上端面において吊り車２４に干渉することのない広目のスペースに上述の上シール装置３０を併せ設けるため、以下の構成を具備する。即ち、引き戸２１は、上端面における板厚中心ｃから偏心量ｅだけ偏心する位置に吊り車２４を取付け（図２）、上端面における吊り車２４の取付位置より板厚中心ｃを含む一方側に、上シール装置３０を設ける。
【００２８】
引き戸２１（引き戸２２も同じ）は、図２に示す如く、下端面に下シール装置４０を設ける。下シール装置４０は、図４に示す如く、下端面に埋込み固定されるブロック４１と、ブロック４１の下面から上下動可能にブロック４１に内蔵されるシール部４２とを有する。シール部４２は、引き戸２１の下端面における長手方向に沿う概ね全長に渡って、Ｔ字状本体４２Ａの下部に横断面円形状のゴム等からなる長尺シール材４２Ｂを延在している。シール部４２は、Ｔ字状本体４２Ａの頭部をブロック４１の内部に納め、Ｔ字状本体４２Ａの首部をブロック４１の下面スリットに通し、長尺シール材４２Ｂをブロック４１の下方に突出させる。引き戸２１に設けた下シール装置４０のシール部４２は自重でブロック４１の下面から戸枠１０の下横枠１２の側にシール材４２Ｂを垂下させ、引き戸２１と下横枠１２との隙間を封止する。
【００２９】
引き戸２１（引き戸２２も同じ）は、図１に示す如く、一方の側面（左側面）に側シール装置５０を設ける。側シール装置５０は、引き戸２１の閉鎖時にその引き戸２１が戸枠１０の縦枠１３に当接する側面に設けられる。
【００３０】
本実施例の側シール装置５０は、引き戸２１の側面に固定される複数本の中空棒状弾性体５１からなり、それらの弾性体５１を引き戸２１の側面の縦方向に複数条をなすように固定されて構成される。側シール装置５０の各弾性体５１は、引き戸２１の閉鎖時に、該引き戸２１が戸枠１０の縦枠１３に当接する衝突力により弾性変形し得る半円筒断面等をなし、その衝突力を緩衝するとともに、戸枠１０の縦枠１３に密接する（図１（Ｂ））。
【００３１】
引き戸装置２０は、引き戸２１の閉鎖時に、図１に示す如く、引き戸２１と引き戸２２のそれぞれに、引き戸２１の開閉方向で、それらが互いに一部重なる重なり部２１Ａ、２２Ａを形成する。そして、それらの重なり部２１Ａ、２２Ａのそれぞれに、引き戸２１の開きを制止するように凹凸係合し、かつ封止し合う係合封止部６０Ａ、６０Ｂを設ける。
【００３２】
本実施例の係合封止部６０Ａ、６０Ｂは、引き戸２１と引き戸２２のそれぞれに設けた重なり部２１Ａ、２２Ａのそれぞれに固定される各複数本の中空棒状弾性体６１からなり、それらの弾性体６１を重なり部２１Ａ、２２Ａの縦方向に複数条をなすように固定されて構成される（各弾性体６１は互いに引き戸２１の開閉方向で波形凹凸状態をなす）。係合封止部６０Ａの各弾性体６１と、係合封止部６０Ｂの各弾性体６１は、引き戸２１の閉鎖時に、それらの山が引き戸２１の開閉方向で互いに乗り越えて干渉する擦れ力により弾性変形し得る半円筒断面等をなし、引き戸２１の開閉方向に沿う方向で互いに弾性変形しつつ乗り入れ合って凹凸係合し（係合封止部６０Ａの各弾性体６１の山が係合封止部６０Ｂの各弾性体６１の谷に係合する）、かつ封止し合う（図１（Ｃ））。
【００３３】
尚、側シール装置５０の中空棒状弾性体５１、係合封止部６０Ａ、６０Ｂの中空棒状弾性体６１としては、半円筒断面等のゴム等からなる長尺中空棒状弾性体からなり、その表面にモヘア等の繊維を植毛したものを採用できる。
【００３４】
本実施例によれば、以下の作用効果を奏する。
(a)引き戸２１の閉鎖時に、引き戸２１に内蔵されている上シール装置３０のプッシャー３２が戸枠１０の縦枠１３に衝接して押込まれると、これに連動して引き戸２１の上端面から突出するシール部材３３が戸枠１０の上横枠１１との隙間を塞ぐ。
【００３５】
同時に、引き戸２１の他の引き戸２２との重なり部２１Ａに設けてある係合封止部６０Ａが、他の引き戸２２の側に設けてある係合封止部６０Ｂに、該引き戸２１の開きを制止するように凹凸係合し、かつ封止し合う。これにより、引き戸２１は、それらの係合封止部６０Ａ、６０Ｂの凹凸係合により、上シール装置３０のプッシャー３２が押込み位置から突き出ようとする付勢力に基づく開き方向力に抗してその閉鎖位置に制止され、引き戸２１の上端面から突出したシール部材３３が戸枠１０の上横枠１１との隙間を塞ぎ続ける。
【００３６】
この引き戸２１の閉鎖時に、引き戸２１が上述の如くに閉鎖位置に制止されることにより、引き戸２１のプッシャー３２が設けられている側面は、戸枠１０の縦枠１３に当接し続け、該縦枠１３との隙間を封止し続ける。
【００３７】
また、引き戸２１と他の引き戸２２との重なり部２１Ａ、２２Ａもそれらの係合封止部６０Ａ、６０Ｂの凹凸係合により封止される。
【００３８】
尚、引き戸２１の下端面に設けてある下シール装置４０のシール部４２が、戸枠１０の下横枠１２との隙間を塞ぎ続ける。
【００３９】
以上により、引き戸２１の閉鎖時に、引き戸２１の上下の端面、側面が戸枠１０の上下の横枠１１、１２、縦枠１３との隙間を封止し続け、引き戸２１と他の引き戸２２との重なり部２１Ａ、２２Ａも封止され、音、光、空気の遮断性を確保する。
【００４０】
(b)引き戸２１に内蔵されている上シール装置３０のシール部材３３は、引き戸２１が閉鎖位置から開かれる開閉移動時に、プッシャー３２が押込み位置から突き出るのに連動して該引き戸２１の上端面内に納まる。従って、上シール装置３０のシール部材３３が戸枠１０の上横枠１１を擦ることなく、引き戸２１の開閉操作性を損なわない。
【００４１】
(c)引き戸２１に内蔵されている上シール装置３０のシール部材３３を出入させる手段は、引き戸２１に設けたプッシャー３２を戸枠１０の縦枠１３に接離させることにて構成されるものであり、戸枠１０や床面の側に格別な操作部材を必要としない。構造は簡素である。
【００４２】
(d)引き戸２１と、他の引き戸２２との重なり部２１Ａ、２２Ａのそれぞれに設ける係合封止部６０Ａ、６０Ｂを、中空棒状弾性体６１からなるものにした。従って、引き戸２１の重なり部２１Ａに設けた１本又は複数本の中空棒状弾性体６１と、他の引き戸２２の重なり部２２Ａに設けた１本又は複数本の中空棒状弾性体６１を簡素な構造により、該引き戸２１の開きを制止するように凹凸係合し、かつ封止し合うものとすることができる。
【００４３】
以上、本発明の実施の形態を図面により記述したが、本発明の具体的な構成はこの実施の形態に限られるものではなく、本発明の要旨を逸脱しない範囲の設計の変更等があっても本発明に含まれる。例えば、引き戸装置２０は、引き戸２１に、その下端面と戸枠１０の下横枠１２との隙間を塞ぐシール装置（上シール装置３０と同様のブロック３１、プッシャー３２、シール部材３３を有する）を内蔵することもできる。
【００４４】
また、引き戸装置２０は、引き戸２１が小壁（他の引き戸２２に代わる小壁）に対して開閉移動可能に設けられるものであっても良く、引き戸２１と小壁の重なり部のそれぞれに本発明の係合封止部を設けるものでも良い。
【産業上の利用可能性】
【００４５】
本発明は、簡素な構造により、引き戸の閉鎖時の音、光、空気の遮断性を確保するとともに、引き戸の開閉操作性を向上することができる。
【符号の説明】
【００４６】
１０  戸枠
１１、１２  横枠
１３、１４  縦枠
２０  引き戸装置
２１、２２  引き戸
２１Ａ、２２Ａ  重なり部
３０  シール装置
３２  プッシャー
３３  シール部材
６０Ａ、６０Ｂ  係合封止部
６１  中空棒状弾性体
【図１】
2011252356.tif 000003
【図２】
2011252356.tif 000004
【図３】
2011252356.tif 000005
【図４】
2011252356.tif 000006